(57)【要約】        【課題】  スロットマシンに関し、回転リールに加えて画像リールを設けることで、画像リールに表示する図柄を多彩に変化することができるようにしたものである。        【解決手段】  第１〜第３表示部(21〜23)の１個には、第１〜第３回転リール(31〜33)のうち１個を配置している。第４〜第５表示部(24〜25)には、第１〜第３回転リール(31〜33)のうち残る２個を配置している。第１〜第３表示部(21〜23)のうち、第１〜第３回転リール(31〜33)が配置されていない残る２個（例えば左右両側の第１、第３表示部21,23）には、２個の第１〜第２画像リール(41〜42)を配置している。図柄画像変動表示手段(420)には、各ストップスイッチ(90〜92)の操作にもとづいて停止する回転リール(31〜33)に比較して、第１〜第２画像リール(41〜42)の図柄画像の停止表示を、予め設定された所定時間、遅らせるための停止遅延手段(421)を備える。    【選択図】    図１
2008220441.tif 000002
【特許請求の範囲】
【請求項１】
外周に複数種類の図柄が表示され、少なくとも３個の第１〜第３回転リールと、
前記第１〜第３回転リールを個別に回転可能な駆動手段と、
メダルの投入を条件に、前記駆動手段により、前記第１〜第３回転リールを回転させるためのスタートスイッチと、
前記第１回転リールに対応し、前記駆動手段の駆動を停止させることで、当該第１回転リールの回転のみを停止可能な第１ストップスイッチと、
前記第２回転リールに対応し、前記駆動手段の駆動を停止させることで、当該第２回転リールの回転のみを停止可能な第２ストップスイッチと、
前記第３回転リールに対応し、前記駆動手段の駆動を停止させることで、当該第３回転リールの回転のみを停止可能な第３ストップスイッチと、
前記駆動手段、前記スタートスイッチ及び前記第１〜３ストップスイッチに個々に接続され、遊技を進行させるための遊技制御手段とを備えるスロットマシンにおいて、
前記スロットマシンの正面には、
左右方向に隣接し、前記回転リールの予め設定された所定個数の図柄が臨むことが可能な３個の第１〜第３表示部と、
前記第１〜第３表示部の外側に位置し、前記回転リールの所定個数の図柄が臨むことが可能な２個の第４〜第５表示部とを配置し、
前記第１〜第３表示部の下側には、
前記第１〜３ストップスイッチをそれぞれ配置し、
前記第１〜第３表示部のうち、１個には、
前記第１〜第３回転リールのうち１個を配置し、
前記第４〜第５表示部には、
前記第１〜第３回転リールのうち残る２個を配置し、
前記第１〜第３表示部のうち、前記第１〜第３回転リールが配置されていない残る２個には、
前記遊技制御手段にそれぞれ接続され、前記所定個数の図柄画像が表示可能な２個の第１〜第２画像リールを配置し、
前記遊技制御手段には、
役を抽選可能な役抽選手段と、
前記役抽選手段の抽選結果、及び前記第１〜３ストップスイッチのそれぞれの操作にもとづいて、前記駆動手段の駆動を制御することで、当該操作に対応する第１〜第３回転リールを停止制御するためのリール停止制御手段と、
前記スタートスイッチの操作にもとづいて、前記第１〜第２画像リールの図柄画像の可変表示を開始させ、
前記第１画像リールが臨む表示部の下側に配置されたストップスイッチの操作にもとづいて、当該第１画像リールの図柄画像の可変表示を停止表示させ、
前記第２画像リールが臨む表示部の下側に配置されたストップスイッチの操作にもとづいて、当該第２画像リールの図柄画像の可変表示を停止表示させるための図柄画像変動表示手段とを備え、
前記図柄画像変動表示手段には、
前記各ストップスイッチの操作にもとづいて停止する回転リールに比較して、前記第１〜第２画像リールの図柄画像の停止表示を、予め設定された所定時間、遅らせるための停止遅延手段を備えていることを特徴とするスロットマシン。
【請求項２】
外周に複数種類の図柄が表示され、少なくとも３個の第１〜第３回転リールと、
前記第１〜第３回転リールを個別に回転可能な駆動手段と、
メダルの投入を条件に、前記駆動手段により、前記第１〜第３回転リールを回転させるためのスタートスイッチと、
前記第１回転リールに対応し、前記駆動手段の駆動を停止させることで、当該第１回転リールの回転のみを停止可能な第１ストップスイッチと、
前記第２回転リールに対応し、前記駆動手段の駆動を停止させることで、当該第２回転リールの回転のみを停止可能な第２ストップスイッチと、
前記第３回転リールに対応し、前記駆動手段の駆動を停止させることで、当該第３回転リールの回転のみを停止可能な第３ストップスイッチと、
前記駆動手段、前記スタートスイッチ及び前記第１〜３ストップスイッチに個々に接続され、遊技を進行させるための遊技制御手段とを備えるスロットマシンにおいて、
前記スロットマシンの正面には、
左右方向に隣接し、前記回転リールの予め設定された所定個数の図柄が臨むことが可能な３個の第１〜第３表示部と、
前記第１〜第３表示部の外側に位置し、前記回転リールの所定個数の図柄が臨むことが可能な１個の第４表示部とを配置し、
前記第１〜第３表示部の下側には、
前記第１〜３ストップスイッチをそれぞれ配置し、
前記第１〜第３表示部のうち、２個には、
前記第１〜第３回転リールのうち２個を配置し、
前記第４表示部には、
前記第１〜第３回転リールのうち残る１個を配置し、
前記第１〜第３表示部のうち、前記第１〜第３回転リールが配置されていない残る１個には、
前記遊技制御手段にそれぞれ接続され、前記所定個数の図柄画像が表示可能な１個の画像リールを配置し、
前記遊技制御手段には、
役を抽選可能な役抽選手段と、
前記役抽選手段の抽選結果、及び前記第１〜３ストップスイッチのそれぞれの操作にもとづいて、前記駆動手段の駆動を制御することで、当該操作に対応する第１〜第３回転リールを停止制御するためのリール停止制御手段と、
前記スタートスイッチの操作にもとづいて、前記画像リールの図柄画像の可変表示を開始させ、
前記画像リールが臨む表示部の下側に配置されたストップスイッチの操作にもとづいて、当該画像リールの図柄画像の可変表示を停止表示させるための図柄画像変動表示手段とを備え、
前記図柄画像変動表示手段には、
前記各ストップスイッチの操作にもとづいて停止する回転リールに比較して、前記画像リールの図柄画像の停止表示を、予め設定された所定時間、遅らせるための停止遅延手段を備えていることを特徴とするスロットマシン。
【請求項３】
請求項１に記載のスロットマシンであって、
前記第１〜第３表示部のうち、１個に臨む１個の回転リールに表示された図柄の種類と、
前記第４〜第５表示部にそれぞれ臨む残る２個の回転リールに表示された図柄の種類とを異ならせていることを特徴とするスロットマシン。
【請求項４】
請求項２に記載のスロットマシンであって、
前記第１〜第３表示部のうち、２個にそれぞれ臨む２個の回転リールに表示された図柄の種類と、
前記第４表示部に臨む残る１個の回転リールに表示された図柄の種類とを異ならせていることを特徴とするスロットマシン。
【請求項５】
請求項１〜４のいずれか１項に記載のスロットマシンであって、
前記表示部の前面には、
当該各表示部に停止表示される図柄又は図柄画像の停止位置を表示させるための複数本の停止ラインを表示していることを特徴とするスロットマシン。
【請求項６】
請求項５に記載のスロットマシンであって、
前記図柄画像変動表示手段には、
前記画像リールの停止表示された図柄画像を、複数本の停止ラインにまたがるように拡大表示させるための画像拡大手段を備えていることを特徴とするスロットマシン。
【発明の詳細な説明】
【技術分野】
【０００１】
この発明は、スロットマシンに関し、回転リールに加えて画像リールを設けることで、画像リールに表示する図柄を多彩に変化することができるようにしたものである。
ものである。
【背景技術】
【０００２】
従来、３個のメインリールの横に、１個のサブリールを配置し、計４個のリールを備えたスロットマシンが知られている（例えば特許文献１の段落番号「００１５」、図１、図５参照）。
【特許文献１】特開2004-321389号公報（段落番号「００１５」、図１、図５）
【発明の開示】
【発明が解決しようとする課題】
【０００３】
しかし、上記した従来のスロットマシンは、モータにより回転する機械的なリールを使用していたので、リールに表示される図柄も固定され、図柄自体を変化させることができないという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００４】
すなわち、請求項１に記載の発明は、回転リールに加えて画像リールを設けることで、画像リールに表示する図柄を多彩に変化することができるようにしたものである。
特に、請求項１に記載の発明によれば、画像リールを２個設け、しかも２個の画像リールを中央に位置する表示部に配置しているので、２個の画像リールを用いて多彩な演出を行うことできる。
（請求項２）
請求項２に記載の発明は、次の点を目的とする。
【０００５】
すなわち、請求項２に記載の発明は、請求項１に記載の発明と同様に、回転リールに加えて画像リールを設けることで、画像リールに表示する図柄を多彩に変化することができるようにしたものである。
特に、請求項２に記載の発明によれば、画像リールを１個設け、しかも当該画像リールを中央に位置する表示部に配置しているので、請求項１に記載の発明に比較して、構造を簡単にできる利点がある。
（請求項３）
請求項３に記載の発明は、上記した請求項１に記載の発明の目的に加え、次の点を目的とする。
【０００６】
すなわち、請求項３に記載の発明は、第１〜第３表示部のうち、１個に臨む１個の回転リールに表示された図柄の種類と、第４〜第５表示部にそれぞれ臨む残る２個の回転リールに表示された図柄の種類とを異ならせることができるようにしたものである。
その結果、請求項３に記載の発明によれば、３個の回転リールに停止表示される図柄の組み合わせを複雑化でき、遊技者にわかり難いものとすることができる。このため、遊技者は、３個の回転リールの図柄の組み合わせにとらわれずに、回転リールと画像リールとの組み合わせによる演出を楽しむことができる。
（請求項４）
請求項４に記載の発明は、上記した請求項２に記載の発明の目的に加え、次の点を目的とする。
【０００７】
すなわち、請求項４に記載の発明は、第１〜第３表示部のうち、２個にそれぞれ臨む２個の回転リールに表示された図柄の種類と、第４表示部に臨む残る１個の回転リールに表示された図柄の種類とを異ならせることができるようにしたものである。
その結果、請求項４に記載の発明によれば、請求項３に記載の発明と同様に、３個の回転リールの図柄の組み合わせにとらわれずに、回転リールと画像リールとの組み合わせによる演出を遊技者が楽しむことができる。
（請求項５）
請求項５に記載の発明は、上記した請求項１〜４のいずれか１項に記載の発明の目的に加え、次の点を目的とする。
【０００８】
すなわち、請求項５に記載の発明は、停止ラインに沿って、回転リールの図柄や画像リールの図柄画像を停止させることができるようにしたものである。
（請求項６）
請求項６に記載の発明は、上記した請求項５に記載の発明の目的に加え、次の点を目的とする。
【０００９】
すなわち、請求項６に記載の発明は、画像リールの停止表示された図柄画像を、複数本の停止ラインにまたがるように拡大表示させることができるようにしたものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
第１に、スロットマシン(10)には、例えば図１〜３に示すように、次の構成を備える。
（１）第１〜第３回転リール(31〜33)
第１〜第３回転リール(31〜33)は、少なくとも３個有り、外周に複数種類の図柄が表示されている。
（２）駆動手段（例えば第１〜第３リールモータ34〜36）
駆動手段（例えば第１〜第３リールモータ34〜36）は、第１〜第３回転リール(31〜33)を個別に回転可能なものである。
【００１２】
（３）スタートスイッチ(80)
スタートスイッチ(80)は、メダルの投入を条件に、駆動手段（例えば第１〜第３リールモータ34〜36）により、第１〜第３回転リール(31〜33)を回転させるためのものである。
（４）第１ストップスイッチ(90)
第１ストップスイッチ(90)は、第１回転リール(31)に対応し、駆動手段（例えば第１〜第３リールモータ34〜36）の駆動を停止させることで、当該第１回転リール(31)の回転のみを停止可能なものである。
【００１３】
（５）第２ストップスイッチ(91)
第２ストップスイッチ(91)は、第２回転リール(32)に対応し、駆動手段（例えば第１〜第３リールモータ34〜36）の駆動を停止させることで、当該第２回転リール(32)の回転のみを停止可能なものである。
（６）第３ストップスイッチ(92)
第３ストップスイッチ(92)は、第３回転リール(33)に対応し、駆動手段（例えば第１〜第３リールモータ34〜36）の駆動を停止させることで、当該第３回転リール(33)の回転のみを停止可能なものである。
【００１４】
（７）遊技制御手段（例えば遊技制御装置200）
遊技制御手段（例えば遊技制御装置200）は、例えば図２に示すように、駆動手段（例えば第１〜第３回転リールモータ34〜36）、スタートスイッチ(80)及び第１〜３ストップスイッチ(90〜92)に個々に接続され、遊技を進行させるためのものである。
第２に、スロットマシン(10)の正面には、例えば図１に示すように、次の構成を配置している。
【００１５】
（８）第１〜第３表示部(21〜23)
第１〜第３表示部(21〜23)は、例えば図１に示すように、３個有り、左右方向に隣接し、回転リール(31〜33)の予め設定された所定個数（例えば上・中・下段に計３個）の図柄が臨むことが可能なものである。
（９）第４〜第５表示部(24〜25)
第４〜第５表示部(24〜25)は、例えば図１に示すように、２個有り、第１〜第３表示部(21〜23)の外側に位置し、回転リール(31〜33)の所定個数（例えば上・中・下段に計３個）の図柄が臨むことが可能なものである。
【００１６】
第３に、第１〜第３表示部(21〜23)の下側には、例えば図１に示すように、第１〜３ストップスイッチ(90〜92)をそれぞれ配置している。
第４に、第１〜第３表示部(21〜23)のうち、１個（例えば中央の第２表示部22）には、例えば図１に示すように、第１〜第３回転リール(31〜33)のうち１個（例えば第２回転リール32）を配置している。
【００１７】
第５に、第４〜第５表示部(24〜25)には、例えば図１に示すように、第１〜第３回転リール(31〜33)のうち残る２個（例えば第１、第２回転リール31〜32）を配置している。
第６に、第１〜第３表示部(21〜23)のうち、第１〜第３回転リール(31〜33)が配置されていない残る２個（例えば左右両側の第１、第３表示部21,23）には、例えば図１に示すように、遊技制御手段（例えば遊技制御装置200）にそれぞれ接続され、所定個数の図柄画像が表示可能な２個の第１〜第２画像リール(41〜42)を配置している。
【００１８】
第７に、遊技制御手段（例えば遊技制御装置200）には、例えば図２に示すように、次の構成を備える。
（１０）役抽選手段(310)
役抽選手段(310)は、役を抽選可能なものである。
（１１）リール停止制御手段(320)
リール停止制御手段(320)は、役抽選手段(310)の抽選結果、及び第１〜３ストップスイッチ(90〜92)のそれぞれの操作にもとづいて、駆動手段（例えば第１〜第３回転リールモータ34〜36）の駆動を制御することで、当該操作に対応する第１〜第３回転リール(31〜33)を停止制御するためのものである。
【００１９】
（１２）図柄画像変動表示手段(420)
図柄画像変動表示手段(420)は、スタートスイッチ(80)の操作にもとづいて、第１〜第２画像リール(41〜42)の図柄画像の可変表示を開始させるためのものである。
つぎに、図柄画像変動表示手段(420)は、第１画像リール(41)が臨む表示部（例えば左側の第１表示部21）の下側に配置されたストップスイッチ（例えば左側の第１ストップスイッチ90）の操作にもとづいて、当該第１画像リール(41)の図柄画像の可変表示を停止表示させるためのものである。
【００２０】
さらに、図柄画像変動表示手段(420)は、第２画像リール(42)が臨む表示部（例えば右側の第３表示部23）の下側に配置されたストップスイッチ（例えば右側の第３ストップスイッチ92）の操作にもとづいて、当該第２画像リール(42)の図柄画像の可変表示を停止表示させるためのものである。
第８に、図柄画像変動表示手段(420)には、例えば図２に示すように、次の構成を備える。
【００２１】
（１３）停止遅延手段(421)
停止遅延手段(421)は、各ストップスイッチ(90〜92)の操作にもとづいて停止する回転リール(31〜33)に比較して、第１〜第２画像リール(41〜42)の図柄画像の停止表示を、予め設定された所定時間、遅らせるためのものである。
（請求項２）
請求項２に記載の発明は、次の点を特徴とする。
【００２２】
第１に、スロットマシン(10)には、例えば図３及び図７〜８に示すように、次の構成を備える。
（１）第１〜第３回転リール(31〜33)
第１〜第３回転リール(31〜33)は、少なくとも３個有り、外周に複数種類の図柄が表示されている。
【００２３】
（２）駆動手段（例えば第１〜第３回転リールモータ34〜36）
駆動手段（例えば第１〜第３回転リールモータ34〜36）は、第１〜第３回転リール(31〜33)を個別に回転可能なものである。
（３）スタートスイッチ(80)
スタートスイッチ(80)は、メダルの投入を条件に、駆動手段（例えば第１〜第３回転リールモータ34〜36）により、第１〜第３回転リール(31〜33)を回転させるためのものである。
【００２４】
（４）第１ストップスイッチ(90)
第１ストップスイッチ(90)は、第１回転リール(31)に対応し、駆動手段（例えば第１〜第３回転リールモータ34〜36）の駆動を停止させることで、当該第１回転リール(31)の回転のみを停止可能なものである。
（５）第２ストップスイッチ(91)
第２ストップスイッチ(91)は、第２回転リール(32)に対応し、駆動手段（例えば第１〜第３回転リールモータ34〜36）の駆動を停止させることで、当該第２回転リール(32)の回転のみを停止可能なものである。
【００２５】
（６）第３ストップスイッチ(92)
第３ストップスイッチ(92)は、第３回転リール(33)に対応し、駆動手段（例えば第１〜第３回転リールモータ34〜36）の駆動を停止させることで、当該第３回転リール(33)の回転のみを停止可能なものである。
（７）遊技制御手段（例えば遊技制御装置200）
遊技制御手段（例えば遊技制御装置200）は、例えば図７に示すように、駆動手段（例えば第１〜第３回転リールモータ34〜36）、スタートスイッチ(80)及び第１〜３ストップスイッチ(90〜92)に個々に接続され、遊技を進行させるためのものである。
【００２６】
第２に、スロットマシン(10)の正面には、例えば図８に示すように、次の構成を配置している。
（８）第１〜第３表示部(21〜23)
第１〜第３表示部(21〜23)は、３個有り、左右方向に隣接し、回転リール(31〜33)の予め設定された所定個数（例えば上・中・下段に計３個）の図柄が臨むことが可能なものである。
【００２７】
（９）第４表示部(500)
第４表示部(500)は、１個有り、第１〜第３表示部(21〜23)の外側に位置し、回転リール(31〜33)の所定個数（例えば上・中・下段に計３個）の図柄が臨むことが可能なものである。
第３に、第１〜第３表示部(21〜23)の下側には、例えば図８に示すように、第１〜３ストップスイッチ(90〜92)をそれぞれ配置している。
【００２８】
第４に、第１〜第３表示部(21〜23)のうち、２個には、例えば図８に示すように、第１〜第３回転リール(31〜33)のうち２個を配置している。
第５に、第４表示部(500)には、例えば図８に示すように、第１〜第３回転リール(31〜33)のうち残る１個を配置している。
第６に、第１〜第３表示部(21〜23)のうち、第１〜第３回転リール(31〜33)が配置されていない残る１個には、例えば図８に示すように、遊技制御手段（例えば遊技制御装置200）にそれぞれ接続され、所定個数の図柄画像が表示可能な１個の画像リール(600)を配置している。
【００２９】
第７に、遊技制御手段（例えば遊技制御装置200）には、例えば図７に示すように、次の構成を備える。
（１０）役抽選手段(310)
役抽選手段(310)は、役を抽選可能なものである。
（１１）リール停止制御手段(320)
リール停止制御手段(320)は、役抽選手段(310)の抽選結果、及び第１〜３ストップスイッチ(90〜92)のそれぞれの操作にもとづいて、駆動手段（例えば第１〜第３回転リールモータ34〜36）の駆動を制御することで、当該操作に対応する第１〜第３回転リール(31〜33)を停止制御するためのものである。
【００３０】
（１２）図柄画像変動表示手段(420)
図柄画像変動表示手段(420)は、スタートスイッチ(80)の操作にもとづいて、画像リール(600)の図柄画像の可変表示を開始させるためのものである。
つぎに、図柄画像変動表示手段(420)は、画像リール(600)が臨む表示部（例えば中央の第２表示部22）の下側に配置されたストップスイッチ（例えば第２ストップスイッチ91）の操作にもとづいて、当該画像リール(600)の図柄画像の可変表示を停止表示させるためのものである。
【００３１】
第８に、図柄画像変動表示手段(420)には、例えば図７に示すように、次の構成を備える。
（１３）停止遅延手段(421)
停止遅延手段(421)は、各ストップスイッチ(90〜92)の操作にもとづいて停止する回転リール(31〜33)に比較して、画像リール(600)の図柄画像の停止表示を、予め設定された所定時間、遅らせるためのものである。
（請求項３）
請求項３に記載の発明は、上記した請求項１に記載の発明の特徴点に加え、次の点を特徴とする。
【００３２】
すなわち、例えば図１に示すように、第１〜第３表示部(21〜23)のうち、１個（例えば中央の第２表示部22）に臨む１個の回転リール（例えば第２回転リール32）に表示された図柄の種類と、第４〜第５表示部(24〜25)にそれぞれ臨む残る２個の回転リール（例えば第１、第３回転リール31,33）に表示された図柄の種類とを異ならせている。
（請求項４）
請求項４に記載の発明は、上記した請求項２に記載の発明の特徴点に加え、次の点を特徴とする。
【００３３】
すなわち、例えば図８に示すように、第１〜第３表示部(21〜23)のうち、２個（例えば左右の第１、第３表示部21,23）にそれぞれ臨む２個の回転リール（例えば第１、第３回転リール31,33）に表示された図柄の種類と、第４表示部(500)に臨む残る１個の回転リール（例えば第２回転リール32）に表示された図柄の種類とを異ならせている。
（請求項５）
請求項５に記載の発明は、上記した請求項１〜４のいずれか１項に記載の発明の特徴点に加え、次の点を特徴とする。
【００３４】
すなわち、表示部（例えば第１〜５表示部21〜25）の前面には、例えば図１に示すように、当該各表示部（例えば第１〜５表示部21〜25）に停止表示される図柄又は図柄画像の停止位置を表示させるための複数本（例えば５本）の停止ライン(20a〜20e)を表示している。
なお、複数本として、５本を例示したが、２〜４本或いは６本以上でも良い。
（請求項６）
請求項６に記載の発明は、上記した請求項５に記載の発明の特徴点に加え、次の点を特徴とする。
【００３５】
すなわち、図柄画像変動表示手段(420)には、例えば図２に示すように、次の構成を備える。
（１）画像拡大手段(422)
画像拡大手段は、例えば図４〜６に示すように、画像リール(600)の停止表示された図柄画像を、複数本（例えば５本）の停止ライン(20a〜20e)にまたがるように拡大表示させるためのものである。
【００３６】
なお、複数本として、５本を例示したが、２〜４本或いは６本以上でも良い。
【発明の効果】
【００３７】
本発明は、以上のように構成されているので、以下に記載されるような効果を奏する。
（請求項１）
請求項１に記載の発明によれば、次のような効果を奏する。
すなわち、請求項１に記載の発明によれば、回転リールに加えて画像リールを設けることで、画像リールに表示する図柄を多彩に変化することができる。
【００３８】
特に、請求項１に記載の発明によれば、画像リールを２個設け、しかも２個の画像リールを中央に位置する表示部に配置しているので、２個の画像リールを用いて多彩な演出を行うことできる。
（請求項２）
請求項２に記載の発明によれば、次のような効果を奏する。
【００３９】
すなわち、請求項２に記載の発明によれば、請求項１に記載の発明と同様に、回転リールに加えて画像リールを設けることで、画像リールに表示する図柄を多彩に変化することができる。
特に、請求項２に記載の発明によれば、画像リールを１個設け、しかも当該画像リールを中央に位置する表示部に配置しているので、請求項１に記載の発明に比較して、構造を簡単にできる利点がある。
（請求項３）
請求項３に記載の発明によれば、上記した請求項１に記載の発明の効果に加え、次のような効果を奏する。
【００４０】
すなわち、請求項３に記載の発明によれば、第１〜第３表示部のうち、１個に臨む１個の回転リールに表示された図柄の種類と、第４〜第５表示部にそれぞれ臨む残る２個の回転リールに表示された図柄の種類とを異ならせることができる。
その結果、請求項３に記載の発明によれば、３個の回転リールに停止表示される図柄の組み合わせを複雑化でき、遊技者にわかり難いものとすることができる。このため、遊技者は、３個の回転リールの図柄の組み合わせにとらわれずに、回転リールと画像リールとの組み合わせによる演出を楽しむことができる。
（請求項４）
請求項４に記載の発明によれば、上記した請求項２に記載の発明の効果に加え、次のような効果を奏する。
【００４１】
すなわち、請求項４に記載の発明によれば、第１〜第３表示部のうち、２個にそれぞれ臨む２個の回転リールに表示された図柄の種類と、第４表示部に臨む残る１個の回転リールに表示された図柄の種類とを異ならせることができる。
その結果、請求項４に記載の発明によれば、請求項３に記載の発明と同様に、３個の回転リールの図柄の組み合わせにとらわれずに、回転リールと画像リールとの組み合わせによる演出を遊技者が楽しむことができる。
（請求項５）
請求項５に記載の発明によれば、上記した請求項１〜４のいずれか１項に記載の発明の効果に加え、次のような効果を奏する。
【００４２】
すなわち、請求項５に記載の発明によれば、停止ラインに沿って、回転リールの図柄や画像リールの図柄画像を停止させることができる。
（請求項６）
請求項６に記載の発明によれば、上記した請求項５に記載の発明の効果に加え、次のような効果を奏する。
【００４３】
すなわち、請求項６に記載の発明によれば、画像リールの停止表示された図柄画像を、複数本の停止ラインにまたがるように拡大表示させることができる。
【発明を実施するための最良の形態】
【００４４】
（図面の説明）
図１〜４は、本発明の第１の実施の形態の一例をそれぞれ示すものである。
図１は、スロットマシンの表示部の拡大正面図、図２はスロットマシンの動作を説明するための概略ブロック図、図３はスロットマシンの概略正面図、図４は図１に対応し、画像リールの他の表示態様を説明するための拡大正面図をそれぞれ示すものである。
【００４５】
図５は、本発明の第２の実施の形態の一例を示し、同図はスロットマシンの表示部の拡大正面図を示すものである。
図６は、本発明の第３の実施の形態の一例を示し、同図はスロットマシンの表示部の拡大正面図を示すものである。
図７〜８は、本発明の第４の実施の形態の一例をそれぞれ示すものである。図７は、スロットマシンの概略正面図、図８はスロットマシンの表示部の拡大正面図をそれぞれ示すものである。
【００４６】
図９は、本発明の第５の実施の形態の一例を示し、同図はスロットマシンの表示部の拡大正面図を示すものである。
（スロットマシン10）
図３中、10は、スロットマシンを示すものである。
スロットマシン10の高さの中央には、後述するが、表示部20を設けている。
【００４７】
表示部20には、同じく後述するが、機械式リールユニット30と、画像式リールユニット40とを設けている。
表示部20の上方の中央には、画像表示装置50を設けている。
画像表示装置50は、画像を表示可能なものであり、例えば液晶ユニットから構成されている。
【００４８】
なお、画像表示装置50として、液晶ユニットを例示したが、これに限定されず、例えばドット・マトリックス等から構成しても良い。
表示部20の下側には、図３の向かって右側に、メダル投入口60を設けている。
メダル投入口60は、遊技媒体の一例であるメダルを投入するためのものである。
なお、遊技媒体として、メダルを例示したが、これに限定されず、図示しないが、パチンコ機の遊技球や、或いはカードの度数等を用いても良い。
【００４９】
メダル投入口60の図３の向かって左側には、ベットスイッチ70を設けている。ベットスイッチ70は、メダル投入口60から規定枚数（例えば３枚）を超えて内部に投入され、クレジット（貯留）されたクレジットメダルをベットする（賭ける）ためのものである。
なお、ベットスイッチ70の個数は、単数でも複数個でも良い。
ベットスイッチ70の下側には、スタートスイッチ80を設けている。
【００５０】
スタートスイッチ80は、機械式リールユニット30の駆動を開始するためのものである。具体的には、スタートスイッチ80は、レバー状に形成され、レバーを傾けることで操作する。スタートスイッチ80を操作すると、機械式リールユニット30の駆動が開始される。
スタートスイッチ80の向かって右隣には、少なくとも３個、例えば３個のストップスイッチ90〜92を設けている。
【００５１】
３個のストップスイッチ90〜92は、機械式リールユニット30の駆動を停止するためのものである。
なお、ストップスイッチ90〜92の個数として、３個を例示したが、これに限定されず、後述する機械式リールユニット30とも関連するが、４個以上設けても良い。
３個のストップスイッチ90〜92の下側には、メダル貯留皿100を設けている。
【００５２】
メダル貯留皿100には、後述する図２のホッパーユニット120から払い出されたメダルが貯留される。
メダル貯留皿100の右側には、１個のスピーカ110が配置されている。スピーカ110は、各種の効果音を発生させるものである。
（表示部20）
表示部20には、図１に示すように、次の構成を備える。
【００５３】
なお、次の（１）〜（３）については後述する。
（１）第１〜第３表示部21〜23
（２）第４〜第５表示部24〜25
（３）停止ライン20a〜20e
なお、表示部20の構成は、上述した（１）〜（３）に限定されない。また、表示部20の合計個数も、第１〜第５表示部21〜25の計５個に限定されず、４個或いは６個以上設けても良い。
（第１〜第３表示部21〜23）
第１〜第３表示部21〜23は、図１に示すように、３個有り、左右方向に隣接し、後述するが、機械式リールユニット30の回転リール31〜33の予め設定された所定個数、例えば上・中・下段に計３個の図柄が臨むことが可能なものである。
【００５４】
第１〜第３表示部21〜23のうち、図１の向かって左側に位置する表示部21を、「第１表示部21」といい、中央に位置する表示部22を「第２表示部22」といい、右側に位置する表示部23を「第３表示部23」という。
また、第１〜第３表示部21〜23の下側には、図１に示すように、前述した３個の第１〜３ストップスイッチ90〜92をそれぞれ配置している。
【００５５】
第１〜３ストップスイッチ90〜92のうち、図１の向かって左側に位置するストップスイッチ90を、「第１ストップスイッチ90」といい、当該「第１ストップスイッチ90」は左側に位置する第１表示部21の真下に位置させている。中央に位置するストップスイッチ91を、「第２ストップスイッチ91」といい、当該「第２ストップスイッチ91」は中央に位置する第２表示部22の真下に位置させている。右側に位置するストップスイッチ92を、「第３ストップスイッチ92」といい、当該「第３ストップスイッチ92」は右側に位置する第３表示部23の真下に位置させている。
（第４〜第５表示部24〜25）
第４〜第５表示部24〜25は、図１に示すように、２個有り、第１〜第３表示部21〜23の外側に位置し、後述するが、機械式リールユニット30の回転リール31〜33の所定個数、例えば上・中・下段に計３個の図柄が臨むことが可能なものである。
【００５６】
第４〜第５表示部24〜25のうち、図１の向かって左端に位置する表示部24を、「第４表示部24」といい、当該「第４表示部24」は左側に位置する第１表示部21の左隣に位置させている。右端に位置する表示部25を、「第５表示部25」といい、当該「第５表示部25」は右側に位置する第３表示部23の右隣に位置させている。
（停止ライン20a〜20e）
停止ライン20a〜20eは、図１に示すように、複数本、例えば５本有り、表示部20の前面に表示され、当該第１〜５表示部21〜25に停止表示される図柄又は図柄画像の停止位置を表示させるためのものである。
【００５７】
なお、停止ライン20a〜20eの本数として、５本を例示したが、２〜４本或いは６本以上でも良い。
具体的には、停止ライン20a〜20eのうち、図１の中央に位置する停止ライン20aは、第１〜５表示部21〜25にまたがって水平に引かれ、「中央停止ライン20a」という。
上側に位置する停止ライン20bは、中央停止ライン20aの上側に位置するとともに、中央停止ライン20aと平行に引かれ、「上側停止ライン20b」という。
【００５８】
下側に位置する停止ライン20cは、中央停止ライン20aの下側に位置するとともに、中央停止ライン20aと平行に引かれ、「下側停止ライン20c」という。
斜めの停止ライン20dは、第１〜３表示部21〜23にまたがって右下がりに引かれ、「右下がり停止ライン20d」という。
もう１本の斜めの停止ライン20eは、第１〜３表示部21〜23にまたがって右上がりに引かれ、「右上がり停止ライン20e」という。
（機械式リールユニット30）
機械式リールユニット30は、図１〜２に示すように、次のパーツから構成されている。
【００５９】
なお、次の（１）〜（２）については後述する。
（１）第１〜第３回転リール31〜33
（２）駆動手段（第１〜第３リールモータ34〜36）
なお、機械式リールユニット30のパーツは、上記した（１）〜（２）に限定されない。
（第１〜第３回転リール31〜33）
第１〜第３回転リール31〜33は、図１に示すように、少なくとも３個、例えば３個有り、外周に複数種類の図柄が表示されている。
【００６０】
なお、回転リール31〜33の個数として、３個を例示したが、４個以上設けても良い。
第１〜第３回転リール31〜33のうち１個、例えば第２回転リール32は、図１に示すように、第１〜第３表示部21〜23のうち、１個、例えば中央の第２表示部22に配置されている。
また、第１〜第３回転リール31〜33のうち残る２個、例えば第１、第３回転リール31,33は、図１に示すように、第４〜第５表示部24〜25に配置されている。すなわち、第１回転リール31は、第４表示部24に配置され、又、第３回転リール33は、第５表示部25に配置されている。
【００６１】
さらに、図１に示すように、第１〜第３表示部21〜23のうち、１個、例えば中央の第２表示部22に臨む１個の回転リール、例えば第２回転リール32に表示された図柄の種類と、第４〜第５表示部24〜25にそれぞれ臨む残る２個の回転リール、例えば第１、第３回転リール31,33に表示された図柄の種類とを異ならせている。
具体的には、第２回転リール32には、図１に示すように、例えばフルーツの「チェリー」の絵の図柄、「７」の数字の図柄、フルーツの「スイカ」の絵の図柄等を表示している。
【００６２】
なお、第２回転リール32の図柄として、図１に示す「チェリー」の絵、「７」の数字、「スイカ」の絵の３種類を例示したが、これに限定されず、実際には３種類以上の種類の図柄を用いている。また、第２回転リール32の図柄として、絵や数字を例示したが、これに限定されず、文字や記号等を使用しても良い。
第１、第３回転リール31,33には、第２回転リール32と異なる図柄を表示している。
【００６３】
すなわち、第１回転リール31には、図１に示すように、アルファベットの大文字の「Ａ」〜「Ｃ」の文字等を表示している。
なお、第１回転リール31の図柄として、図１に示すアルファベットの大文字の「Ａ」〜「Ｃ」の文字の３種類を例示したが、これに限定されず、実際には３種類以上の種類の図柄を用いている。また、第１回転リール31の図柄として、アルファベットの大文字を用いたが、これに限定されず、他の文字や、絵、数字、記号等を用いても良い。
【００６４】
また、第３回転リール33には、図１に示すように、アルファベットの小文字の「ｄ」〜「ｆ」の文字等を表示している。
なお、第３回転リール33の図柄として、図１に示すアルファベットの小文字の「ｄ」〜「ｆ」の文字の３種類を例示したが、これに限定されず、実際には３種類以上の種類の図柄を用いている。また、第３回転リール33の図柄として、アルファベットの小文字を用いたが、これに限定されず、他の文字や、絵、数字、記号等を用いても良い。
【００６５】
一方、第３回転リール33の図柄の種類を、第１回転リール31の図柄の種類と異ならせているのは、役を構成する図柄の組み合わせを、一層、複雑化するためである。
例えば、後述するが、一般的なボーナス図柄の組み合わせが、「７、７、７」の場合に、本実施例の第１〜第３回転リール31〜33を使用した場合には、図１に示すように、中央停止ライン20a上に、第１回転リール31には「Ｂ」の図柄を停止表示させ、第２回転リール32には「７」の図柄を停止表示させ、第３回転リール33には「ｅ」の図柄を停止表示させ、ボーナス図柄の組み合わせは「Ｂ、７、ｅ」となる。
【００６６】
ただし、第３回転リール33の図柄の種類は、第２回転リール32の図柄と異なっていれば良く、第１回転リール31の図柄の種類と一致させても構わない。
（駆動手段（第１〜第３リールモータ34〜36））
駆動手段は、３個の第１〜第３回転リール31〜33を個別に回転可能なものであり、具体的には、図２に示すように、第１〜第３リールモータ34〜36から構成している。
【００６７】
第１〜第３リールモータ34〜36のうち、第１リールモータ34は、第１回転リール31を回転するためのものである。同様に、第２リールモータ35は、第２回転リール32を、第３リールモータ36は、第３回転リール33をそれぞれ回転するためのものである。
３個の第１〜第３リールモータ34〜36は、３個の第１〜第３回転リール31〜33、並びに同数の第１〜３ストップスイッチ90〜92と連動している。
【００６８】
すなわち、第１ストップスイッチ90は、第１回転リール31に対応し、駆動手段の一例である第１リールモータ34の駆動を停止させることで、当該第１回転リール31の回転のみを停止可能なものである。
第２ストップスイッチ91は、第２回転リール32に対応し、駆動手段の一例である第２リールモータ35の駆動を停止させることで、当該第２回転リール32の回転のみを停止可能なものである。
【００６９】
第３ストップスイッチ92は、第３回転リール33に対応し、駆動手段の一例である第３リールモータ36の駆動を停止させることで、当該第３回転リール33の回転のみを停止可能なものである。
（画像式リールユニット40）
画像式リールユニット40は、遊技制御手段の一例である遊技制御装置200にそれぞれ接続され、所定個数の図柄画像が表示可能な２個の第１〜第２画像リール41〜42から構成されている。
【００７０】
具体的には、第１〜第２画像リール41〜42には、例えば液晶を使用している。また、当該液晶画面には、図１に示すように、第２回転リール32の外周に表示された図柄と同一の図柄画像を表示させている。
なお、第１〜第２画像リール41〜42として、液晶を例示したが、これに限定されず、例えばドット・マトリックス等から構成しても良い。
【００７１】
すなわち、第１〜第２画像リール41〜42には、図１に示すように、第２回転リール32と同様に、例えばフルーツの「チェリー」の絵の図柄、「７」の数字の図柄、フルーツの「スイカ」の絵の図柄を画像化した図柄画像を表示させている。
そして、スタートスイッチ80を操作すると、第１〜第２画像リール41〜42に表示した図柄画像を、図示しないが、第２回転リール32が回転しているのと同様に、遊技者が図柄画像を視認し難いように、可変表示させている。また、ストップスイッチ90〜92と連動して、可変表示を停止させ、停止ライン20a〜20eに沿って図柄画像を停止表示させている。
【００７２】
２個の第１〜第２画像リール41〜42は、図１に示すように、第１〜第３表示部21〜23のうち、第１〜第３回転リール31〜33が配置されていない残る２個、例えば左右両側の第１、第３表示部21,23にそれぞれ配置されている。
具体的には、第１画像リール41を、第１表示部21に、又、第２画像リール42を第３表示部23に配置している。
（遊技制御装置200）
つぎに、図２を用いて、遊技制御装置200について説明する。
【００７３】
遊技制御装置200は、遊技制御手段の一例であり、スロットマシン10の内部に設けられ、遊技の進行を制御するためのものである。
なお、遊技制御手段として、遊技制御装置200を例示したが、これに限定されない。
具体的には、遊技制御装置200は、図２に示すように、大別すると、次の２つの手段を備える。
【００７４】
なお、次の（１）〜（２）の手段の説明については、後述する。
（１）メイン制御手段300
（２）サブ制御手段400
なお、遊技制御装置200の手段は、上記した（１）〜（２）に限定されない。
（メイン制御手段300）
つぎに、図２を用いて、メイン制御手段300について説明する。
【００７５】
メイン制御手段300は、遊技の進行を制御するためのものである。
具体的には、メイン制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００７６】
メイン制御手段300のＣＰＵ（図示せず）は、記録媒体、例えばＲＯＭに記録されたプログラムを読み込むことで、図２に示すように、次の手段として機能する。
なお、次の（１）〜（６）の手段の説明については、後述する。
（１）役抽選手段310
（２）リール停止制御手段320
（３）一般遊技制御手段330
（４）特別遊技制御手段340
（５）利益付与手段350
（６）信号送信手段360
なお、メイン制御手段300の手段は、上記した（１）〜（６）に限定されない。
（メイン制御手段300の入力段）
つぎに、図２を用いて、メイン制御手段300の入力段について説明する。
【００７７】
メイン制御手段300の入力段には、図２に示すように、次のパーツがそれぞれ接続されている。
なお、メイン制御手段300の入力段に接続されるパーツは、次の（１）〜（４）に限定されない。
（１）メダルセンサー61
メダルセンサー61は、メダル投入口60の内部に設けられ、メダル投入口60に投入されたメダルを検出するためのものである。
【００７８】
（２）ベットスイッチ70
（３）スタートスイッチ80
（４）ストップスイッチ90〜92
（メイン制御手段300の出力段）
つぎに、図２を用いて、メイン制御手段300の出力段について説明する。
【００７９】
メイン制御手段300の出力段には、図２に示すように、次のパーツがそれぞれ接続されている。
なお、メイン制御手段300の出力段に接続されるパーツは、次の（１）〜（３）に限定されない。
（１）第１〜第３リールモータ34〜36
（２）ホッパーユニット120
ホッパーユニット120は、スロットマシン10の内部に設けられている。
【００８０】
ホッパーユニット120は、表示部20に停止表示された第１〜第３回転リール31〜33の図柄が、予め設定された図柄の組み合わせに一致する場合に、遊技者に所定枚数のメダルを払い出すためのものである。
（３）サブ制御手段400
（サブ制御手段400）
サブ制御手段400は、図２に示すように、メイン制御手段300に接続され、メイン制御手段300から一方向に送信される信号、例えばコマンドやデータ等にもとづいて、各種の演出を制御するためのものである。
【００８１】
具体的には、サブ制御手段400は、コンピュータであって、図示しないが、例えばＣＰＵを中心に構成され、ＲＯＭやＲＡＭ等の記録媒体、Ｉ／Ｏ等を備えている。
なお、サブ制御手段400のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【００８２】
上記サブ制御手段400のＣＰＵ（図示せず）は、記録媒体、例えばＲＯＭに記録されたプログラムを読み込むことで、図２に示すように、大別すると、次の手段として機能する。
なお、次の（１）〜（４）の手段の説明については、後述する。
（１）信号受信手段410
（２）図柄画像変動表示手段420
（３）演出表示手段430
（４）効果音発生手段440
なお、サブ制御手段400の手段は、上記した（１）〜（４）に限定されない。
（サブ制御手段400の入力段）
つぎに、図２を用いて、サブ制御手段400の入力段について説明する。
【００８３】
サブ制御手段400の入力段には、図２に示すように、次のパーツが接続されている。
（１）メイン制御手段300
なお、サブ制御手段400の入力段に接続されるパーツは、上記した（１）に限定されない。
（サブ制御手段400の出力段）
つぎに、図１を用いて、サブ制御手段400の出力段について説明する。
【００８４】
サブ制御手段400の出力段には、図２に示すように、次のパーツがそれぞれ接続されている。
（１）画像表示装置50
（２）スピーカ110
なお、サブ制御手段400の出力段に接続されるパーツは、上記した（１）〜（２）に限定されない。
（役抽選手段310）
役抽選手段310は、役の当否を抽選により決定するものである。
【００８５】
まず、役の当否には、次の種類がある。
（１）役の当選
（２）ハズレ
役には、次の種類がある。
なお、次の（３）〜（５）の役の説明については、後述する。
【００８６】
また、役は、役のうち１個だけ当選する場合のほか、複数の役が同時に２以上、当選する場合もあり、役抽選手段310はいわゆるグループ抽選が可能となっている。
（３）小役
（４）再遊技（リプレイ）
（５）ボーナス
なお、役の種類は、上記した（３）〜（５）に限定されない。
（小役）
小役は、予め設定された小役図柄が揃って入賞することを条件に、所定枚数のメダルを払い出すための役である。
（再遊技）
再遊技は、いわゆるリプレイとも呼ばれ、予め設定されたリプレイ図柄が揃うことを条件に、メダルを投入すること無しに次回の遊技を行えるという役である。
（ボーナス）
ボーナスは、特別遊技への移行役であり、特定役や、前述したようにそれ自体を特別遊技とも呼ぶ。
【００８７】
特別遊技は、一般遊技より遊技者に有利な遊技である。
なお、特別遊技として、ボーナスを例示したが、これに限定されない。また、特定役として、ボーナスを例示したが、これに限定されず、特定の小役等でも良い。
具体的には、ボーナスには、次の種類がある。
なお、ボーナスの種類は、次の（１）〜（３）に限定されない。
【００８８】
（１）ＢＢ移行役
ＢＢ移行役は、ＢＢへの移行役である。
すなわち、ＢＢ図柄を揃えることを条件に、一般遊技から、後述する特別遊技制御手段340による特別遊技であるＢＢへ移行させるための役である。
なお、ＢＢ図柄の入賞時に、メダルを払い出さなくとも良いし、或いはメダルを１枚払い出すようにしても良い。
【００８９】
ＢＢの開始後、遊技者がメダルを３枚投入すると仮定すると、トータルで約２８８枚のメダルが獲得可能であり、例えば３４５枚を超える払い出しで終了する。
（２）ＭＢ移行役
ＭＢ移行役は、ＭＢへの移行役である。
ＭＢ図柄を揃えることを条件に、一般遊技から、後述する特別遊技制御手段340による特別遊技であるＭＢへ移行させるための役である。
【００９０】
なお、ＭＢ図柄の入賞時に、メダルを払い出さなくとも良いし、或いはメダルを１枚払い出すようにしても良い。
ＭＢの開始後、遊技者がメダルを３枚投入すると仮定すると、トータルで約１９２枚のメダルが獲得可能であり、例えば２５３枚を超える払い出しで終了する。なお、ＭＢは、ＢＢに比較して、遊技者が獲得できるメダルの枚数が低く設定されている。
【００９１】
（３）ＲＢ移行役
ＲＢ移行役は、ＲＢへの移行役である。
ＲＢの開始後、遊技者がメダルを３枚投入すると仮定すると、トータルで約９６枚のメダルが獲得可能である。ＲＢは、最高１２回のゲームか、８回の入賞か、いずれか先に達成された条件により終了する。なお、ＲＢは、ＭＢに比較して、遊技者が獲得できるメダルの枚数が低く設定されている。
（リール停止制御手段320）
リール停止制御手段320は、役抽選手段310による抽選により決定した遊技結果、及びストップスイッチ90〜92の操作にもとづいて、当該ストップスイッチ90〜92に対応するリールモータ34〜36の停止制御を行うためのものである。
（一般遊技制御手段330）
一般遊技制御手段330は、一般遊技を行わせるためのものである。
（特別遊技制御手段340）
特別遊技制御手段340は、役抽選手段310より当選した役のうち、予め設定された特定役（例えばＢＢ移行役）に当選したことを契機（例えばＢＢ図柄の入賞）に、一般遊技より遊技者に有利な特別遊技（例えばＢＢ）を実行するためのものである。
【００９２】
なお、特定役として、ＢＢの移行役を例示したが、これに限定されず、パチンコ機の大当たりでも良い。また、特別遊技として、ＢＢを例示したが、パチンコ機の大当たり遊技でも良い。
（利益付与手段350）
利益付与手段350は、表示部20に停止表示された３個のリール31〜33の図柄の組み合わせが、予め設定された所定の図柄の組み合わせに一致している場合に、予め設定された所定の枚数のメダルを払い出すためのものである。
【００９３】
メダルの払い出しは、ホッパーユニット120を駆動させることにより、メダルを実際に払い出しても良いし、或いはクレジットメダル枚数を増加させるようにしても良い。
（信号送信手段360）
信号送信手段360は、例えばコマンドやデータ等の信号をサブ制御手段400に送信するためのものである。
（信号受信手段410）
サブ制御手段400の信号受信手段410は、メイン制御手段300の信号送信手段360から送信された信号を受信するためのものである。
（図柄画像変動表示手段420）
図柄画像変動表示手段420は、スタートスイッチ80の操作にもとづいて、第１〜第２画像リール41〜42の図柄画像の可変表示を開始させるためのものである。
【００９４】
つぎに、図柄画像変動表示手段420は、第１画像リール41が臨む表示部、例えば左側の第１表示部21の下側に配置されたストップスイッチ、例えば左側の第１ストップスイッチ90の操作にもとづいて、当該第１画像リール41の図柄画像の可変表示を停止表示させるためのものである。
さらに、図柄画像変動表示手段420は、第２画像リール42が臨む表示部、例えば右側の第３表示部23の下側に配置されたストップスイッチ、例えば右側の第３ストップスイッチ92の操作にもとづいて、当該第２画像リール42の図柄画像の可変表示を停止表示させるためのものである。
【００９５】
具体的には、図柄画像変動表示手段420には、図２に示すように、次の手段を備える。
なお、図柄画像変動表示手段420の手段は、次の（１）〜（２）に限定されない。
（１）停止遅延手段421
停止遅延手段421は、各ストップスイッチ90〜92の操作にもとづいて停止する回転リール31〜33に比較して、第１〜第２画像リール41〜42の図柄画像の停止表示を、予め設定された所定時間、遅らせるためのものである。
【００９６】
（２）画像拡大手段422
画像拡大手段は、図４に示すように、第１〜第２画像リール41〜42の停止表示された図柄画像を、５本の停止ライン20a〜20eにまたがるように拡大表示させるためのものである。
（演出表示手段430）
画像表示制御手段430は、信号受信手段410が受信した信号にもとづいて、図示しないが、各種の演出画像を画像表示装置50に表示させるためのものである。
（効果音発生手段440）
効果音発生手段440は、信号受信手段410が受信した信号にもとづいて、各種の効果音をスピーカ110から出力させるためのものである。
（図４の説明）
図４は図１に対応し、第１〜第２画像リール41〜42の図柄画像の停止表示の態様を説明するための拡大正面図である。
【００９７】
すなわち、第１画像リール41には、中央停止ライン20a、上側停止ライン20b、下側停止ライン20cの３本にまたがるように、「７」の数字を上下に伸長した図柄画像を表示している。
また、第２画像リール42には、中央停止ライン20a、下側停止ライン20cの２本にまたがるように、「７」の数字を上下に伸長した図柄画像を表示している。
（遊技の説明）
つぎに、上記した構成を備えるスロットマシン10により遊技について説明する。
【００９８】
まず、メダルの投入を条件に、スタートスイッチ80を操作すると、第１〜第３リールモータ34〜36の駆動が開始され、３個の第１〜第３回転リール31〜33の回転が開始される。
第１〜第３リールモータ34〜36の駆動は、図２のメイン制御手段300により行われる。
同時に、スタートスイッチ80のスタート信号は、図２のメイン制御手段300の信号送信手段360を介して、サブ制御手段400の信号受信手段410に送信される。
【００９９】
このため、図２のサブ制御手段400の図柄画像変動表示手段420は、第１〜第２画像リール41〜42の図柄画像の可変表示を開始させる。
したがって、遊技者から、図示しないが、第１〜第５表示部21〜25の計５個に表示される図柄又は図柄画像の全てが回転しているように見える。
なお、第１〜第３リールモータ34〜36の駆動と、第１〜第２画像リール41〜42の図柄画像の可変表示とを同時に開始させたが、第１〜第２画像リール41〜42の図柄画像の可変表示を、スタートスイッチ80の操作から遅れて開始させるようにしても良い。
【０１００】
つぎに、３個のストップスイッチ90〜92のいずれかを操作すると、対応する第１〜第３回転リール31〜33の回転が停止する。
例えば、図１の向かって左側に位置する第１ストップスイッチ90を操作すると、左端の第４表示部24に臨む第１回転リール31の回転が停止する。
すなわち、図２のメイン制御手段300のリール停止制御手段320が、第１回転リール31に対応する第１リールモータ34の駆動を停止させることで、当該第１回転リール31の回転が停止する。
【０１０１】
同時に、第１ストップスイッチ90の第１ストップ信号は、図２のメイン制御手段300の信号送信手段360を介して、サブ制御手段400の信号受信手段410に送信される。
このため、図２のサブ制御手段400の図柄画像変動表示手段420は、図１の第１ストップスイッチ90の直上に位置する第１表示部21に臨む第１画像リール41の図柄画像の可変表示を停止する。
【０１０２】
このとき、図２の図柄画像変動表示手段420の停止遅延手段421により、第１ストップスイッチ90の操作による第１回転リール31の回転の停止より遅らせて、第１画像リール41の図柄画像の可変表示を停止させる。
遊技者から見ると、第１ストップスイッチ90の操作により、直上に位置する第１表示部21に臨む第１画像リール41の図柄画像の可変表示が停止したように見える。
【０１０３】
つぎに、図１の中央に位置する第２ストップスイッチ91を操作すると、中央の第２表示部22に臨む第２回転リール32の回転が停止する。
すなわち、図２のメイン制御手段300のリール停止制御手段320が、第２回転リール32に対応する第２リールモータ35の駆動を停止させることで、当該第２回転リール32の回転が停止する。
【０１０４】
最後に、図１の向かって右側に位置する第３ストップスイッチ92を操作すると、右端の第５表示部25に臨む第３回転リール33の回転が停止する。
すなわち、図２のメイン制御手段300のリール停止制御手段320が、第３回転リール33に対応する第３リールモータ36の駆動を停止させることで、当該第３回転リール33の回転が停止する。
【０１０５】
同時に、第３ストップスイッチ92の第３ストップ信号は、図２のメイン制御手段300の信号送信手段360を介して、サブ制御手段400の信号受信手段410に送信される。
このため、図２のサブ制御手段400の図柄画像変動表示手段420は、図１の第３ストップスイッチ90の直上に位置する第３表示部23に臨む第２画像リール42の図柄画像の可変表示を停止する。
【０１０６】
このとき、図２の図柄画像変動表示手段420の停止遅延手段421により、第３ストップスイッチ92の操作による第３回転リール33の回転の停止より遅らせて、第２画像リール42の図柄画像の可変表示を停止させる。
遊技者から見ると、第３ストップスイッチ92の操作により、直上に位置する第３表示部23に臨む第２画像リール42の図柄画像の可変表示が停止したように見える。
【０１０７】
最終的に、遊技者からは、図１に示すように、第１〜第３表示部21〜23の中央停止ライン20a上に、「７」の数字の図柄及び図柄画像があたかも揃っているように見える。しかし、第１〜第２画像リール41〜42に表示された「７」の数字の図柄画像は、演出上のものであり、遊技の結果とは直接は関連がない。
実際は、中央停止ライン20a上に、ボーナス図柄の組み合わせが「Ｂ、７、ｅ」が停止されることで、ボーナスの入賞となる。すなわち、第１回転リール31に「Ｂ」の図柄が、第２回転リール32には「７」の図柄が、第３回転リール33に「ｅ」の図柄がそれぞれ停止表示されることで、ボーナスの入賞となる。
（図５の図柄画像の拡大表示の説明）
つぎに、図５を用いて、図柄画像が拡大表示される場合について説明する。
【０１０８】
まず、例えば第１ストップスイッチ90を操作すると、前述したように、左端の第４表示部24に臨む第１回転リール31の回転が停止する。少し遅れて、第１ストップスイッチ90の直上に位置する第１表示部21に臨む第１画像リール41の図柄画像の可変表示が停止する。
このとき、第１画像リール41には、中央停止ライン20a、上側停止ライン20b、下側停止ライン20cの３本にまたがるように、「７」の数字を上下に伸長した図柄画像が表示される。
【０１０９】
遊技者から見ると、５本の停止ライン20a〜20eのいずれにも「７」の数字を揃えるチャンスがあるかのように見える。
つぎに、例えば第３ストップスイッチ92を操作すると、第３回転リール33の回転が停止する。少し遅れて、第３ストップスイッチ90の直上に位置する第３表示部23に臨む第２画像リール42の図柄画像の可変表示が停止する。
【０１１０】
このとき、第２画像リール42には、中央停止ライン20a、下側停止ライン20cの２本にまたがるように、「７」の数字を上下に伸長した図柄画像が表示される。
このため、遊技者からは、中央停止ライン20a、下側停止ライン20c、右下がり停止ライン20d上に、「７」の数字が２個揃い、いわゆるリーチ状態となる。
遊技者は、中央停止ライン20a、下側停止ライン20c、右下がり停止ライン20d上に、「７」の数字が停止するように、第２ストップスイッチ91を操作することとなる。
【０１１１】
その結果、第２回転リール32が停止して、中央停止ライン20a上に、「７」の数字が停止すると、中央停止ライン20a及び右下がり停止ライン20dの２本の停止ライン20a,20d上に「７」の数字が３個揃って見える。
しかし、前述した通り、第１〜第２画像リール41〜42に表示された「７」の数字の図柄画像は、演出上のものであり、遊技の結果とは直接は関連がない。
（第２の実施の形態）
つぎに、図５を用いて、本発明の第２の実施の形態について説明する。
【０１１２】
本実施の形態の特徴は、第１〜第２画像リール41〜42を、隣り合う第１〜第２表示部21〜22に配置した点である。
そして、第３表示部23には、第３回転リール33を、第４表示部24には第１回転リール31を、第５表示部25には第２回転リール32をそれぞれ配置している。
なお、第１〜第３回転リール31〜33、並びに第１〜第２画像リール41〜42の停止態様については、図１〜４を用いて前述した第１の実施の形態と同様であるので、説明を省略する。
（第３の実施の形態）
つぎに、図６を用いて、本発明の第３の実施の形態について説明する。
【０１１３】
本実施の形態の特徴は、第１〜第２画像リール41〜42を、隣り合う第２〜第３表示部22〜23に配置した点である。
そして、第１表示部21には、第１回転リール31を、第４表示部24には第２回転リール32を、第５表示部25には第３回転リール33をそれぞれ配置している。
なお、第１〜第３回転リール31〜33、並びに第１〜第２画像リール41〜42の停止態様については、図１〜４を用いて前述した第１の実施の形態と同様であるので、説明を省略する。
（第４の実施の形態）
つぎに、図７〜８を用いて、本発明の第４の実施の形態について説明する。
【０１１４】
本実施の形態の特徴は、表示部20を、３個の第１〜第３表示部21〜23と、第３表示部23の右隣に位置する１個の第４表示部500との計４個から構成した点である。
また、画像リール600も、１個としている。
具体的には、第１〜第３表示部21〜23のうち、２個には、図８に示すように、第１〜第３回転リール31〜33のうち２個、例えば第１、第３回転リール31,33を配置している。
【０１１５】
第４表示部500には、図８に示すように、第１〜第３回転リール31〜33のうち残る１個、例えば第２回転リール32を配置している。
第１〜第３表示部21〜23のうち、第１〜第３回転リール31〜33が配置されていない残る１個、例えば第２表示部21には、図８に示すように、画像リール600を配置している。
なお、図７に示す遊技制御手段である遊技制御装置200については、図２を用いて前述した第１の実施の形態のものと同様であるので、説明を省略する。
（第５の実施の形態）
つぎに、図９を用いて、本発明の第５の実施の形態について説明する。
【０１１６】
本実施の形態の特徴は、第４表示部510を第１表示部21の左隣に位置に設けた点である。
そして、第１表示部21には、画像リール600を、第２表示部22には第２回転リール32を、第３表示部23には第３回転リール33を、第４表示部510には第１回転リール31をそれぞれ配置している。
【０１１７】
なお、遊技制御手段である遊技制御装置200については、図７を用いて前述した第４の実施の形態のものと同様であるので、説明を省略する。
【図面の簡単な説明】
【０１１８】
【図１】本発明の第１の実施の形態の一例を示し、同図はスロットマシンの表示部の拡大正面図である。
【図２】本発明の第１の実施の形態の一例を示し、同図はスロットマシンの動作を説明するための概略ブロック図である。
【図３】本発明の第１の実施の形態の一例を示し、同図はスロットマシンの概略正面図である。
【図４】図１に対応し、画像リールの他の表示態様を説明するための拡大正面図である。
【図５】本発明の第２の実施の形態の一例を示し、同図はスロットマシンの表示部の拡大正面図である。
【図６】本発明の第３の実施の形態の一例を示し、同図はスロットマシンの表示部の拡大正面図である。
【図７】本発明の第４の実施の形態の一例を示し、同図はスロットマシンの概略正面図である。
【図８】本発明の第４の実施の形態の一例を示し、同図はスロットマシンの表示部の拡大正面図である。
【図９】本発明の第５の実施の形態の一例を示し、同図はスロットマシンの表示部の拡大正面図である。
【符号の説明】
【０１１９】
（第１〜３の実施の形態）
10  スロットマシン
20  表示部
21〜25  第１〜第５表示部      20a〜20e  停止ライン
30  機械式リールユニット
31〜33  第１〜第３回転リール  34〜36  第１〜第３リールモータ
40  画像式リールユニット      41〜42  第１〜第２画像リール
50  画像表示装置
60  メダル投入口              61  メダルセンサー
70  ベットスイッチ
80  スタートスイッチ          90〜92  第１〜第３ストップスイッチ
100  メダル貯留皿             110  スピーカ
120  ホッパーユニット
200  遊技制御装置（遊技制御手段）
300  メイン制御手段
310  役抽選手段               320  リール停止制御手段
330  一般遊技制御手段         340  特別遊技制御手段
350  利益付与手段             360  信号送信手段
400  サブ制御手段
410  信号受信手段
420  図柄画像変動表示手段
421  停止遅延手段             422  画像拡大手段
430  演出表示手段             440  効果音発生手段
（第４の実施の形態）
500  第４表示部               600  画像リール
（第５の実施の形態）
510  第４表示部
【図１】
2008220441.tif 000003
【図２】
2008220441.tif 000004
【図３】
2008220441.tif 000005
【図４】
2008220441.tif 000006
【図５】
2008220441.tif 000007
【図６】
2008220441.tif 000008
【図７】
2008220441.tif 000009
【図８】
2008220441.tif 000010
【図９】
2008220441.tif 000011